(57)【要約】【課題】電磁力を発生させる領域の長さをマグネットの内周より長くすることで、装置の駆動効率を向上できるレンズ駆動装置、オートフォーカスカメラ及びカメラ付きモバイル端末を提供する。【解決手段】内周にレンズを支持するレンズ支持体５と、レンズ支持体５の外周に設けてレンズ支持体５を前後に移動自在に支持する筺体と、筺体に固定しレンズ支持体５の外周面の周方向に配置してあり且つレンズ支持体５の外周面との間に間隔を空けて配置したマグネット１７と、マグネット１７に対向して配置したコイル体２０とを備え、レンズ支持体５は、マグネット１７の外周面より径方向外側に突出するフランジ５ａを有し、コイル体２０は、レンズ支持体５のフランジ５ａに固定されてあり、マグネット１７の外周面に対向して配置してある。【選択図】図１
2013068702.tif 000002
【特許請求の範囲】
【請求項１】
内周にレンズを支持するレンズ支持体と、レンズ支持体の外周に設けてレンズ支持体を前後に移動自在に支持する筺体と、筺体に固定しレンズ支持体の外周面の周方向に配置してあり且つレンズ支持体の外周面との間に間隔を空けて配置したマグネットと、マグネットに対向して配置したコイル体とを備え、
レンズ支持体は、マグネットの外周面より径方向外側に突出するフランジを有し、
コイル体は、レンズ支持体のフランジに固定されてあり、マグネットの外周面に対向して配置してあることを特徴とするレンズ駆動装置。
【請求項２】
筐体は、側面が光軸と平行な外周側壁を有する環状のヨークを有し、
コイル体はヨークの外周側壁とマグネットとの間に設けられた隙間に配置したことを特徴とする請求項１に記載のレンズ駆動装置。
【請求項３】
コイル体は、マグネットの外周面の周方向に巻回した第１コイルと、筐体の周方向外側から視たときに環状となりマグネットの外周面の周方向に９０度の間隔を空けて配置した複数の第２コイルと、から構成することを特徴とする請求項１又は２のいずれか一項に記載のレンズ駆動装置。
【請求項４】
マグネットの外周面が形成する輪郭が全体として平面視四角形状であり、コイル体の内周面が形成する輪郭が全体として平面視四角形状であることを特徴とする請求項１から３のいずれか一項に記載のレンズ駆動装置。
【請求項５】
マグネットは複数あり、これらのマグネットは、レンズ支持体の周方向に互いに間隔を空けて配置し、
第２コイルは、マグネットの外周面より周方向に突出する端部を有したことを特徴とする請求項３に記載のレンズ駆動装置。
【請求項６】
請求項１から５の何れか一項に記載のレンズ駆動装置と、コイル体への通電を制御する制御部とを備えたことを特徴とするオートフォーカスカメラ。
【請求項７】
請求項６に記載のオートフォーカスカメラを搭載したことを特徴とするカメラ付きモバイル端末。
【発明の詳細な説明】
【技術分野】
【０００１】
本発明は、レンズ駆動装置、オートフォーカスカメラ及びカメラ付きモバイル端末に関する。
モバイル端末とは、携帯電話、携帯情報端末（ＰＤＡ）、ノートパソコン等をいう。
【背景技術】
【０００２】
特許文献１には、内周にレンズを支持するレンズ支持体と、レンズ支持体の外周に沿って設けた環状の主ヨークと、主ヨークの内周側に固定してあり且つ主ヨークの周方向に沿って間隔をあけて配置した複数のマグネットと、複数のマグネットの内周側にそれぞれ固定された複数の環状コイルと、レンズ支持体の外周面に設けられ、環状コイルの内周側に対面する円筒状の補助ヨークと、環状コイルへの通電を制御する制御部とを備え、制御部はレンズの光軸の傾きを補正するときには対応する環状コイルに流す電流の電流値を異ならせるレンズ駆動装置が開示されている。この特許文献１の技術によれば、マグネットの内周側に固定した複数の環状コイルと、環状コイルの内周側に対面する補助ヨークとで磁界経路を形成し、制御部により各環状コイルに流す電流を個別に制御することで、レンズ支持体の光軸の傾き補正（光軸補正）を簡単に行うことができる。
【先行技術文献】
【特許文献】
【０００３】
【特許文献１】特開２０１１−６９９３４号公報
【発明の概要】
【発明が解決しようとする課題】
【０００４】
しかしながら、特許文献１の技術では、複数のマグネットの内周側に固定した複数の環状コイルと対面するように、電磁力を発生させる領域を形成するための補助ヨークを設けていた。そのため、レンズ支持体を動かすためのこの領域の全周の長さは、マグネットの内周の全周で制限され、レンズ駆動装置の駆動効率が低かった。
【０００５】
そこで、本発明は、装置の駆動効率が高いレンズ駆動装置、オートフォーカスカメラ及びカメラ付きモバイル端末の提供を目的とする。
【課題を解決するための手段】
【０００６】
請求項１に記載の発明は、内周にレンズを支持するレンズ支持体と、レンズ支持体の外周に設けてレンズ支持体を前後に移動自在に支持する筺体と、筺体に固定しレンズ支持体の外周面の周方向に配置してあり且つレンズ支持体の外周面との間に間隔を空けて配置したマグネットと、マグネットに対向して配置したコイル体とを備え、レンズ支持体は、マグネットの外周面より径方向外側に突出するフランジを有し、コイル体は、レンズ支持体のフランジに固定されてあり、マグネットの外周面に対向して配置してあることを特徴とするレンズ駆動装置である。
【０００７】
請求項２に記載の発明は、請求項１に記載の発明において、側面が光軸と平行な外周側壁を有する環状のヨークを有し、コイル体はヨークの外周側壁とマグネットとの間に設けられた隙間に配置したことを特徴とするレンズ駆動装置である。
【０００８】
請求項３に記載の発明は、請求項１又は２のいずれか一項に記載の発明において、コイル体は、マグネットの外周面の周方向に巻回した第１コイルと、筐体の周方向外側から視たときに環状となりマグネットの外周面の周方向に９０度の間隔を空けて配置した複数の第２コイルと、から構成することを特徴とするレンズ駆動装置である。
【０００９】
請求項４に記載の発明は、請求項１から３のいずれか一項に記載の発明において、マグネットの外周面が形成する輪郭が全体として平面視四角形状であり、コイル体の内周面が形成する輪郭が全体として平面視四角形状であることを特徴とするレンズ駆動装置である。
【００１０】
請求項５に記載の発明は、請求項３に記載の発明において、マグネットは複数あり、これらのマグネットは、レンズ支持体の周方向に互いに間隔を空けて配置し、第２コイルは、マグネットの外周面より周方向に突出する端部を有したことを特徴とするレンズ駆動装置である。
【００１１】
請求項６に記載の発明は、請求項１から５の何れ一項に記載のレンズ駆動装置と、コイル体への通電を制御する制御部とを備えたことを特徴とするオートフォーカスカメラである。
【００１２】
請求項７に記載の発明は、請求項６に記載のオートフォーカスカメラを搭載したことを特徴とするカメラ付きモバイル端末である。
【発明の効果】
【００１３】
請求項１に記載の発明によれば、当該マグネットの外周面側にコイル体を配置することで、当該マグネットの内周の周長より長い外周に沿ってレンズ支持体を動かすための電磁力を発生させる領域を形成できる。これにより、マグネットの内周面側にコイル体を配置した場合に比べ、マグネットの磁束をより広い範囲で利用できるので、装置の駆動効率を高くできる。
【００１４】
請求項２に記載の発明によれば、請求項１に記載の作用効果を奏すると共に、環状のヨークを設けて、ヨークの外周側壁とマグネットとの間に隙間を設けたことにより、マグネットをヨークの外周側壁に接して配置した場合に比べて、ヨークの外周側壁内の磁束が減る。ここで、ヨークの外周側壁が磁気飽和するとヨークの外周側壁の外部に漏れ磁界が発生する。請求項２に記載の発明によれば、ヨークの外周側壁内の磁束を減らすことができるので、装置の小型化が要求され、ヨークの外周側壁の厚さが薄くなっても、ヨークの外部への漏れ磁界を低減できる。
【００１５】
請求項３に記載の発明によれば、請求項１又は２の何れか一項に記載の作用効果を奏すると共に、コイル体を、マグネットの外周面の周方向に巻回した第１コイルと、筐体の周方向外側から視たときに環状となりマグネットの外周面の周方向に９０度の間隔を空けて配置した複数の第２コイルと、から構成したので、例えば、第１コイルに電流を流すことでレンズ支持体を光軸方向に移動でき、互いに対向する一対の第２コイルに電流を流すことで光軸に直交する方向にレンズ支持体を移動できる。これにより、レンズ支持体はフォーカス移動及び手振れ補正のための移動ができる。
【００１６】
請求項４に記載の発明によれば、請求項１から３の何れか一項に記載の作用効果を奏すると共に、マグネットの外周面が形成する輪郭を全体として平面視四角形状とし、コイル体の内周面が形成する輪郭を全体として平面視四角形状としたので、同じ体積のマグネットの外周面及びコイル体の内周面が形成する輪郭を全体として平面視円形状とした場合に比べ、マグネットの外周面及びコイル体の内周面の長さを長くできるため、マグネットの磁束をより広い範囲で利用できるので、装置の駆動効率を高くできる。
【００１７】
請求項５に記載の発明によれば、請求項３に記載の作用効果を奏すると共に、複数のマグネットは、互いに間隔を空けて配置し、第２コイルは、マグネットの外周面より周方向に突出する端部を有する。各マグネットの端面から生ずる磁束の一部は、カーブして斜めに第２コイルの端部を横断する。このうちの周方向成分の磁束により、第２コイルに電流を流したときに光軸と直交方向の電磁力が発生し、光軸に直交する方向にレンズ支持体を移動できる。これにより、レンズ支持体は手振れ補正のための移動ができる。
【００１８】
請求項６に記載の発明によれば、請求項１〜５の何れか一項に記載の作用効果を奏するオートフォーカスカメラを提供できる。
【００１９】
請求項７に記載の発明によれば、請求項６に記載の作用効果を奏するカメラ付きモバイル端末を提供できる。
【図面の簡単な説明】
【００２０】
【図１】本発明の実施の形態に係るレンズ駆動装置の一部を切断して示す水平断面図である。
【図２】本発明の実施の形態に係るレンズ駆動装置の図１におけるＤ−Ｄ断面図である。
【図３】本発明の実施の形態に係るレンズ駆動装置の分解斜視図である。
【図４】本発明の実施の形態におけるオートフォーカスカメラの作用を説明するブロック図である。
【発明を実施するための形態】
【００２１】
以下に、添付図面の図１〜図４を参照して本発明の実施の形態を詳細に説明する。本実施の形態に係るレンズ駆動装置１は、モバイル端末に組み込まれるオートフォーカスカメラのレンズ駆動装置である。
【００２２】
このレンズ駆動装置１は、図３に示すように、環状のヨーク３と、レンズ支持体５と、ヨーク３の光軸方向の前側に配置されるフレーム（筺体）７及び前側スプリング９と、ヨーク３の光軸方向の後側に配置されるベース（筺体）８及び後側スプリング１１とを備えており、後側スプリング１１とヨーク３との間には後側スペーサ（絶縁体）１５が配置されている。
【００２３】
ヨーク３は、外形が略四角筒形状を成した筐体であり、ヨーク３の４つの各角部にはその内周側にそれぞれマグネット１７が固定されている。ヨーク３は側面が光軸と平行な外周側壁３ａと、内周側壁３ｂと、外周側壁３ａ及び内周側壁３ｂを連結する中間部３ｃとからなり、内周側壁３ｂはヨークの角部分にのみ設けてある。そして、ヨーク３の各角部では外周側壁３ａ、内周側壁３ｂ及び中間部３ｃとで断面略コ字形状を成している。外周側壁３ａは、平面視略四角形状に形成されている。各内周側壁３ｂは、後述するレンズ支持体５の外周に沿った平面視略円弧形状に形成されている。尚、ヨーク３はベース８とフレーム７との間に固定されている。
【００２４】
マグネット１７は、図１に示すように、前側から見た平面が略三角形状を成し、内周面がヨーク３の内周側壁３ｂの外周に沿った円弧状を成し、外周面がヨーク３の外周側壁３ａの角部の内周に沿った形状を成している。即ち、マグネット１７の外周面が形成する輪郭は、全体として平面視四角形状に形成されている。マグネット１７は内周側がヨーク３の内周側壁３ｂの外周に固定され、外周側がヨーク３の外周側壁３ａの内周から隙間を設けて配置されている。マグネット１７は外周面と内周面とで異なる磁極となり、４つのマグネット１７の各外周面は同じ磁極となるように着磁されている。本実施の形態における４つのマグネット１７の各外周面は、Ｎ極である。
【００２５】
レンズ支持体５は、図３に示すように、略円筒形状であり、その内周側にレンズ（図示せず）が固定される。レンズ支持体５の後側には環形状に形成されたフランジ５ａが形成されている。フランジ５ａは、４つのマグネット１７の外周面より径方向外側に突出し、外周がヨーク３の外周側壁３ａの内周近傍まで達して形成された部分を有し、この部分にコイル体２０の光軸方向後側の端部が固定されている。
【００２６】
コイル体２０は、４つのマグネット１７の外周側とヨーク３の外周側壁３ａの内周との隙間において、４つのマグネット１７の外周面に対向して配置されている。コイル体２０の内周面が形成する輪郭は、全体として平面視四角形状に形成されている。コイル体２０は、第１コイル１６と第２コイル１９とから構成される。第２コイル１９は、４つの第２コイル１９ａ、１９ｂ、１９ｃ及び１９ｄから構成される。第２コイル１９は、互いに対向する第２コイル１９ａと１９ｃ、第２コイル１９ｂと１９ｄ、とが直列に接続されている。これにより、互いに対向する第２コイル１９ａと１９ｃは、電流が通電されると、同方向に移動するように電磁力が発生する。また、互いに対向する第２コイル１９ｂと１９ｄは、電流が通電されると、同方向に移動するように電磁力が発生する。
【００２７】
以下の説明では、光軸方向をＺ方向、Ｚ方向と直交する一方向をＸ方向、Ｚ方向及びＸ方向と直交する方向をＹ方向とも言う。図１及び図２に示すように、レンズ支持体５のフランジ５ａには、ヨーク３の外周側壁３ａの内周近傍において、４つのマグネット１７から隙間を空けて、これらマグネット１７の外周面に対向して配置し巻線を周方向に巻回した第１コイル１６と、ヨーク３の外周側壁３ａの周方向外側から視たときに環状となり第１コイル１６の光軸の直交方向に隣接して、９０度の間隔を空けて配置して固定した４つの第２コイル１９ａ、１９ｂ、１９ｃ、１９ｄとが設けてある。第１コイル１６の内径は４つのマグネット１７の外周面により規定される外径よりも大きく形成されている。４つの第２コイル１９ａ、１９ｂ、１９ｃ、１９ｄは、それぞれ４つのマグネット１７に対向する位置に配置され、それぞれ４つのマグネット１７の外周面の長さよりも長く形成されている。即ち、４つの第２コイル１９ａ、１９ｂ、１９ｃ、１９ｄは、それぞれ各マグネット１７の外周面より周方向に突出する端部１９１を有する。第２コイル１９ａ、１９ｂ、１９ｃ、１９ｄは、それぞれマグネット１７の外周面に対向する面において、巻線が両端部１９１で折り返すように巻回されている。すなわち、端部１９１における巻線の方向は前後方向となる。また、第１コイル１６と各第２コイル１９ａ、１９ｂ、１９ｃ、１９ｄとは、互いに間隔を空けて配置したマグネット１７に対向するように配置されている。これにより、マグネット１７と第１コイル１６及び第２コイル１９ａ、１９ｂ、１９ｃ、１９ｄとで、レンズ支持体５を動かすための電磁力を発生させる領域を形成する。
【００２８】
図１に示す点線の矢印は、マグネット１７の磁束を示す。各マグネット１７の外周側から生ずる磁束Ｍ１は、第１コイル１６に対して略直角に交差してからヨーク３の外周側壁３ａに向かう。これにより、第１コイル１６には、電流が通電されると、光軸方向の推力が生じる。そして、磁束Ｍ１は、ヨーク３の外周側壁３ａ、中間部３ｃ、内周側壁３ｂの順に通って、マグネット１７の内周側に達することで、磁束のループが閉じる。また、各マグネット１７の端面から生ずる磁束Ｍ２の一部は、カーブを描き、各第２コイル１９ａ、１９ｂ、１９ｃ、１９ｄの端部１９１に対して斜めに交差してからヨーク３の外周側壁３ａに向かう。このうちの周方向成分の磁束により、第２コイル１９には、電流が通電されると、光軸と直交方向の推力が生じる。そして、磁束Ｍ２は、ヨーク３の外周側壁３ａ、中間部３ｃ、内周側壁３ｂの順に通って、マグネット１７の内周側に達することで、磁束のループが閉じる。
【００２９】
図４に示すように、第１コイル１６と、第２コイル１９ａ及び１９ｃ、１９ｂ及び１９ｄは各々、オートフォーカスカメラ（図示無し）の制御部２５に接続されており、制御部２５から各々所定値の電流が通電されるようになっている。制御部２５は、Ｚ駆動部３２及びＸ−Ｙ駆動部３３を備える。第１コイル１６は、Ｚ駆動部３２に接続されており、Ｚ駆動部３２から所定値の電流が通電される。各第２コイル１９ａ及び１９ｃ、１９ｂ及び１９ｄは、Ｘ―Ｙ駆動部３３に接続されており、Ｘ−Ｙ駆動部３３から所定値の電流が通電される。
【００３０】
Ｚ駆動部３２は、レンズ支持体５を合焦点位置へ移動（光軸方向へ移動）する場合には、第１コイル１６に所定の電流を流す。同様に、手振れ補正をする場合には、Ｘ―Ｙ駆動部３３は、第２コイル１９ａ及び１９ｃ、第２コイル１９ｂ及び１９ｄに所定の電流を流して、レンズ支持体５をＸ―Ｙ方向に移動する。
【００３１】
図３に示すように、前側スプリング９は、組み付け前の自然状態が平板状であり、平面視矩形の環状を成す外周側部９ａと、外周側部９ａの内周に配置され平面視円弧形状の内周側部９ｂと、外周側部９ａと内周側部９ｂとを連結する各腕部９ｃとで構成されている。
【００３２】
同様に、後側スプリング１１は、組み付け前の自然状態が平板状であり、平面視矩形の環状を成す外周側部１１ａと、外周側部１１ａの内周に配置され平面視円弧形状の内周側部１１ｂと、外周側部１１ａと内周側部１１ｂとを連結する各腕部１１ｃとで構成されている。
【００３３】
前側スプリング９の外周側部９ａはフレーム７とヨーク３との間に挟持されており、内周側部９ｂはレンズ支持体５の前端に固定されている。後側スプリング１１の外周側部１１ａはベース８と後側スペーサ１５との間に挟持されており、内周側部１１ｂはレンズ支持体５の後端に固定されている。これにより、レンズ支持体５は前側スプリング９と後側スプリング１１とにより、光軸方向及び光軸と直交方向に移動自在に支持されている。
【００３４】
そして、レンズ支持体５が光軸方向及び／又は光軸と直交方向に移動すると、レンズ支持体５は、前側スプリング９及び後側スプリング１１の弾性力の合力と、第１コイル１６及び／又は第２コイル１９とマグネット１７との間で生じる電磁力とが吊り合う位置で停止する。
【００３５】
次に、本発明の実施の形態に係るレンズ駆動装置１の組立て、作用及び効果について説明する。
【００３６】
レンズ駆動装置１の組立ては、図３に示すように、ベース８に、後側スプリング１１、後側スペーサ１５、第１コイル１６と第２コイル１９ａ、１９ｂ、１９ｃ、１９ｄをフランジ５ａに固定したレンズ支持体５、４つのマグネット１７を内側角部に固定したヨーク３、前側スプリング９、フレーム７をこの順序で組み付け固定する。
【００３７】
第１コイル１６並びに各第２コイル１９ａ及び１９ｃ、１９ｂ及び１９ｄは、各々端子をオートフォーカスカメラ（図示無し）の制御部２５に接続し、制御部２５は第１コイル１６並びに各第２コイル１９ａ及び１９ｃ、１９ｂ及び１９ｄに流す直流電流を個別に制御する。
【００３８】
本実施の形態に係るレンズ駆動装置１の合焦点制御は、以下のように行う。図４に示すように、まず、制御部２５が画像センサ（図示無し）から受ける高域成分（コントラスト）のピークを比較する。そして、Ｚ駆動部３２は、合焦点位置へ向けてレンズ支持体５がＺ方向の直線移動をするように第１コイル１６に電流を流す。レンズ支持体５は、第１コイル１６に電流を流すことでマグネット１７の磁力により生じる電磁力と、前側スプリング９及び後側スプリング１１との弾性力の合力とが釣り合う位置まで移動して停止する。
【００３９】
また、レンズ駆動装置１の手振れ補正制御は、以下のように行う。制御部２５は、ジャイロモジュール（図示無し）等によりＸＹ方向の手振れ量の大きさを信号として受け、Ｘ方向及びＹ方向の手振れ補正量を演算してレンズ支持体５のＸＹ方向の移動すべき位置を決定する。Ｘ―Ｙ駆動部３３は、この決定された位置に向けてレンズ支持体５がＸＹ方向の移動をするように第２コイル１９ａ及び１９ｃと、第２コイル１９ｂ及び１９ｄとに通電する。
【００４０】
レンズ支持体５のＸＹ方向への移動の際には、レンズ支持体５は、第２コイル１９ａ及び１９ｃと、第２コイル１９ｂ及び１９ｄとに所定の電流を流すことにより、前側スプリング９及び後側スプリング１１のＸＹ方向のスプリングの合力と、第２コイル１９ａ及び１９ｃと、第２コイル１９ｂ及び１９ｄとに生じる電磁力とが釣り合う位置まで移動して停止する。
【００４１】
本実施の形態によれば、当該マグネット１７の外周側にコイル体２０を配置することで、マグネット１７の内周の周長より長い外周に沿ってレンズ支持体５を動かすための電磁力を発生させる領域を形成できる。これにより、マグネット１７の内周面側にコイル体２０を配置した場合に比べ、マグネット１７の磁束をより広い範囲で利用できるので、装置の駆動効率を高くできる。
【００４２】
環状のヨーク３を設けて、外周側壁３ａとマグネット１７との間に隙間を設けたことにより、マグネット１７をヨーク３の外周側壁３ａに接して配置した場合に比べて、ヨーク３の外周側壁３ａ内の磁束が減る。ここで、ヨーク３の外周側壁３ａが磁気飽和するとヨーク３の外周側壁３ａの外部に漏れ磁界が発生する。本実施の形態によれば、ヨーク３の外周側壁３ａ内の磁束を減らすことができるので、装置の小型化が要求され、外周側壁３ａの厚さが薄くなっても、ヨーク３の外部への漏れ磁界を低減できる。
【００４３】
コイル体２０を、４つのマグネット１７の外周面の周方向に巻回した第１コイル１６と、ヨーク３の外周側壁３ａの周方向外側から視たときに環状となり４つのマグネット１７の外周面の周方向に９０度の間隔を空けて配置した４つの第２コイル１９ａ、１９ｂ、１９ｃ、１９ｄと、から構成したので、例えば、第１コイル１６に電流を流すことでレンズ支持体５を光軸方向に移動でき、互いに対向する一対の第２コイル１９に電流を流すことで光軸に直交する方向にレンズ支持体５を移動できる。これにより、レンズ支持体５は、フォーカス移動及び手振れ補正のための移動ができる。
【００４４】
マグネット１７の外周面が形成する輪郭を全体として平面視四角形状とし、コイル体２０の内周面が形成する輪郭を全体として平面視四角形状としたので、同じ体積のマグネット１７の外周面及びコイル体２０の内周面が形成する輪郭を全体として平面視円形状とした場合に比べ、マグネット１７の外周面及びコイル体２０の内周面の長さを長くできるため、マグネット１７の磁束をより広い範囲で利用できるので、装置の駆動効率を高くできる。
【００４５】
ここで、レンズ駆動装置１は、小型化が要求されているが、その場合、円形状のレンズの大きさはそのまま、或いはあまり小さくせずに、その大きさを小さくすることが要求される。また、レンズ駆動装置１は、例えば、実際の形状が平面視円形状であったとしても、その直径の寸法を一辺の寸法とする四角形状の大きさが、レンズ駆動装置１の大きさとして評価される。そのため、例えば、マグネット１７の外周面を全体として平面視円形状とした場合、レンズ駆動装置１の大きさの概算値は、レンズの直径の値と、マグネット１７の半径方向の寸法を２倍した値と、コイル体２０の半径方向の寸法を２倍した値と、を合算した値である。一方、同じ体積のマグネット１７を使用した場合であっても、図１に示すように、マグネット１７の外周面を全体として平面視四角形状とし、各辺の中央に向かってマグネット１７の厚さを薄くなるように形成すると、これにより、レンズ駆動装置１の大きさの概算値は、レンズの直径の値と、コイル体２０の半径方向の寸法を２倍した値と、を合算した値となる。すなわち、マグネット１７の外周面が形成する輪郭を全体として平面視四角形状とした場合には、同じ体積のマグネット１７の外周面が形成する輪郭を全体として平面視円形状とした場合に比べ、マグネット１７の半径方向の寸法を２倍した値の分だけ、レンズ駆動装置１の大きさを小さくできる。
【００４６】
複数のマグネット１７は、ヨーク３の角部に互いに間隔を空けて配置し、第２コイル１９は、マグネット１７の外周面より周方向に突出する端部１９１を有する。各マグネット１７の端面から生ずる磁束の一部は、カーブして斜めに第２コイル１９の端部１９１を横断しヨーク３の外周側壁３ａに達する。このうちの周方向成分の磁束により、第２コイル１９に電流を流したときにＸＹ方向の電磁力が発生し、光軸に直交する方向にレンズ支持体５を移動できる。これにより、レンズ支持体５は手振れ補正のための移動ができる。
【００４７】
本発明は、上述した実施の形態に限らず、本発明の要旨を逸脱しない範囲で種々変形可能である。例えば、上述した実施の形態は、コイル体２０を第１コイル１６のみで構成し、レンズ支持体５を光軸方向に移動させるオートフォーカスカメラに適用できる。また、第２コイル１９は、４つ設けることに限らず、９０度の間隔を空けて配置した２つのコイルでも良い。また、マグネット１７は、４つ設けることに限らず、１つでも、２つでも良い。また、ヨーク３の内周側壁３ｂを設けずマグネット１７を中間部３ｃに固定しても良い。また、ヨーク３は、外周側壁３ａのみで構成して、マグネット１７は別部材に固定しても良い。また、マグネット１７は、環状に形成したものを用いても良い。また、レンズ支持体５をＸＹ方向に移動させるための電磁力は、マグネット１７から前方向又は後方向にカーブして斜めに第２コイル１９と交差する磁束のうちの、前方向成分又は／及び後方向成分を用いて生じさせてもよい。その場合、ヨーク３は、設けなかったり、外周側壁３ａの面積を小さくしたり、外周側壁３ａをマグネット１７から離したりすることにより、前方向成分又は／及び後方向成分の割合を大きくすることができる。これにより、レンズ支持体５をＸＹ方向に移動させるための電磁力をより大きくすることができる。
【符号の説明】
【００４８】
１      レンズ駆動装置
３      ヨーク（筺体）
５      レンズ支持体
７      フレーム（筺体）
８      ベース（筺体）
１６    第１コイル
１７    マグネット
１９ａ、１９ｂ、１９ｃ、１９ｄ  第２コイル
２０    コイル体
【図１】
2013068702.tif 000003
【図２】
2013068702.tif 000004
【図３】
2013068702.tif 000005
【図４】
2013068702.tif 000006